(57)【要約】【課題】複数の接続機器がプレート子機に接続された場合でも接続機器の種類を判別でき、接続機器が脱落した場合はその種類毎に脱落状況を検出できるナースコールシステムを提供する。【解決手段】プレート子機とナースコール親機と制御機を有するナースコールシステムであって、プレート子機は、呼出ボタンとは異なる特殊呼出器や心電図監視装置、点滴監視装置、血圧監視装置等の外部機器を接続する子機接続部を備え、子機接続部への呼出ボタン、特殊呼出器及び外部機器の接続状態と子機接続部からの脱落状態を検出する検出部を備え、ナースコール親機は、検出部で検出される接続状態の内容を被看護人のリスト及びフロア病床レイアウトのうち何れかに対応させて表示する親機表示部を備えている。【選択図】図１
2014168570.tif 000002
【特許請求の範囲】
【請求項１】
医療・看護施設内の複数の部屋の病床毎に設置され被看護人が医療・看護従事者を呼出して通話を成立させるプレート子機と、前記プレート子機に接続される呼出ボタンを用いた前記被看護人からの呼出しに医療・看護従事者が応答して通話を成立させるナースコール親機と、前記プレート子機及び前記ナースコール親機を制御する制御機とを有するナースコールシステムであって、
前記プレート子機は、前記呼出ボタンとは異なる特殊呼出器や心電図監視装置、点滴監視装置、血圧監視装置等の外部機器を接続する子機接続部を備え、
前記子機接続部への前記呼出ボタン、前記特殊呼出器及び前記外部機器の接続状態を検出する検出部を備え、
前記ナースコール親機は、前記検出部で検出される前記接続状態の内容を前記被看護人のリスト及びフロア病床レイアウトのうち何れかに対応させて表示する親機表示部を備えることを特徴とするナースコールシステム。
【請求項２】
医療・看護施設内の複数の部屋の病床毎に設置され呼出ボタンを接続する子機接続部を備えるプレート子機と、前記呼出ボタンを用いた前記被看護人からの呼出しに医療・看護従事者が応答して通話を成立させるナースコール親機と、前記プレート子機及び前記ナースコール親機を制御する制御機とを有するナースコールシステムであって、
前記子機接続部は、少なくとも１つ設けられ、
前記子機接続部に接続可能な呼出ボタン、特殊呼出器、若しくは心電図監視装置、点滴監視装置、血圧監視装置等の外部機器を備え、
前記子機接続部への前記呼出ボタン、前記特殊呼出器及び前記外部機器の接続状態を検出する検出部を備え、
前記ナースコール親機は、前記検出部で検出される前記接続状態の内容を前記被看護人のリスト及びフロア病床レイアウトのうち何れかに対応させて表示する親機表示部を備えることを特徴とするナースコールシステム。
【請求項３】
前記ナースコール親機は、前記検出部で検出される前記接続状態の内容として、前記呼出ボタン、前記特殊呼出器とともに前記外部機器の種類毎の接続台数を前記親機表示部にリスト表示する親機ＣＰＵを備えることを特徴とする請求項２記載のナースコールシステム。
【請求項４】
前記プレート子機は、前記子機接続部への接続機器が前記呼出ボタン、前記特殊呼出器及び前記外部機器のうち何れかであることを当該接続機器が有する固有の抵抗値をもとに判別する接続機器判別部と、前記接続機器判別部の判別結果を前記ナースコール親機、前記廊下灯、前記制御機の何れか若しくはすべてに通知する子機ＣＰＵとを備えることを特徴とする請求項１乃至請求項３のうち何れか１項記載のナースコールシステム。
【請求項５】
前記プレート子機は、前記子機接続部に接続されている前記呼出ボタン、前記特殊呼出器及び前記外部機器のうち何れかが脱落したことを検出する脱落検出部と、前記脱落検出部の検出結果情報を前記ナースコール親機に通知する子機ＣＰＵとを備え、
前記ナースコール親機は、前記プレート子機の前記子機ＣＰＵから伝送されてくる前記検出結果情報を脱落した接続機器に対応させて警報発報する親機ＣＰＵを備えることを特徴とする請求項１乃至請求項４のうち何れか１項記載のナースコールシステム。
【請求項６】
前記プレート子機は、前記子機接続部に接続されている前記呼出ボタン、前記特殊呼出器及び前記外部機器のうち何れかが脱落したことを検出する脱落検出部と、前記脱落検出部の検出結果情報を前記廊下灯に通知する子機ＣＰＵとを備え、
前記廊下灯は、前記プレート子機の前記子機ＣＰＵから伝送されてくる前記検出結果情報をもとに脱落した接続機器が前記特殊呼出器又は前記外部機器であるとき、前記検出結果情報に係る前記ナースコール親機への通知動作を抑止する廊下灯ＣＰＵを備えることを特徴とする請求項１乃至請求項４のうち何れか１項記載のナースコールシステム。
【請求項７】
前記プレート子機は、前記子機接続部に接続されている前記呼出ボタン、前記特殊呼出器及び前記外部機器のうち何れかが脱落したことを検出する脱落検出部と、前記脱落検出部の検出結果情報を前記ナースコール親機に通知する子機ＣＰＵとを備え、
前記ナースコール親機は、前記プレート子機の前記子機ＣＰＵから伝送されてくる前記検出結果情報をもとに脱落した接続機器が前記特殊呼出器又は前記外部機器であるときには警報発報の動作を抑止し、前記脱落した接続機器が前記呼出ボタンであるときには警報発報を行う親機ＣＰＵを備えることを特徴とする請求項１乃至請求項４のうち何れか１項記載のナースコールシステム。
【請求項８】
前記プレート子機には、前記部屋毎の出入り口に設置され前記呼出ボタンを用いた被看護人からの呼出しを報知する廊下灯が接続され、
前記廊下灯は、前記プレート子機の脱落検出部の検出結果を警報発報する警報発報部を備えることを特徴とする請求項５乃至請求項７のうち何れか１項記載のナースコールシステム。
【発明の詳細な説明】
【技術分野】
【０００１】
本発明は、ナースコールシステムに係り、特に病床毎に設置され被看護人とナースコール親機との間で信号を送受するための呼出ボタンの他に特殊呼出器や心電図監視装置、点滴監視装置、血圧監視装置等の外部機器により被看護人とナースコール親機との間で信号を送受できるナースコールシステムに関する。
【背景技術】
【０００２】
従来からナースコールシステムでは各病室に被看護人（患者と同意）が看護人（医療・看護従事者と同意）を呼び出すためのプレート子機（ナースコール子機と同意）が備えられており、このプレート子機には被看護人と看護人との間で信号を送受できる呼出ボタンが接続されている。
【０００３】
このような従来のナースコールシステムにおいては、呼出ボタンがプレート子機と接続されており、被看護人により呼出ボタンが押下されると廊下灯及び制御器を介してナースコール親機に呼出信号が送られ、ナースコール親機で呼出信号を受信するとナースコール親機から制御器、廊下灯を介してプレート子機に応答信号が送られ、プレート子機とナースコール親機との間で通話が成立する。
【０００４】
一方、プレート子機には呼出ボタンばかりではなく他の機器が接続されることもある。そのような例として、例えば点滴装置が接続されている先行技術が開示されている（例えば、特許文献１参照）。
【０００５】
特許文献１に記載された点滴管理装置は、ナースコールスイッチ（呼出ボタン）に並列に接続された点滴装置からの信号とナースコールスイッチの呼出信号とをナースコールセンタ（ナースコール親機）で判別するとともに、点滴装置の点滴速度や輸液量等を検出して点滴状態を管理するものである。
【０００６】
さらに、従来のナースコールシステムではプレート子機の子機接続部からのベッド子機（呼出ボタン）の脱落や子機ラインの断線を検出して警報発報するシステムが用いられている。このようなシステムでは、プレート子機の接続部から呼出ボタンが脱落するとプレート子機のＣＰＵが脱落信号を生成して廊下灯やナースコール親機に送信し、警報発報を行うものである。
【０００７】
また、子機ラインが断線した場合やプレート子機が故障した場合などには通信が停止するが、一定時間以上通信が停止した場合にも脱落信号が送信され、警報発報が行われるようになっている（例えば、特許文献２参照）。
【先行技術文献】
【特許文献】
【０００８】
【特許文献１】特開平７−２５５８４４号公報
【特許文献２】特開２００７−２０２７１２号公報
【発明の概要】
【発明が解決しようとする課題】
【０００９】
特許文献１に記載されている点滴管理装置の発明では、ナースコールスイッチとともに一つの接続機器が接続されている状態が説明されており、複数の接続機器が接続されている例は記載されていない。また、特許文献２に記載されているナースコールシステムではベッド子機が脱落した場合についての警報発報に関しては記載があるものの、種類の異なる接続機器が脱落した場合の種類毎の検出までは想定されていない。
【００１０】
本発明は上記の課題を解決するためになされたもので、呼出ボタンの他に複数の種類の接続機器がプレート子機に接続された場合でも呼出ボタンや他の接続機器の種類を判別でき、また呼出ボタンや他の接続機器が脱落した場合はその種類毎に脱落状況を検出できるナースコールシステムを提供できるようにしたものである。
【課題を解決するための手段】
【００１１】
本発明によるナースコールシステムの第１の態様によれば、医療・看護施設内の複数の部屋の病床毎に設置され被看護人が医療・看護従事者を呼出して通話を成立させるプレート子機と、プレート子機に接続される呼出ボタンを用いた被看護人からの呼出しに医療・看護従事者が応答して通話を成立させるナースコール親機と、プレート子機及びナースコール親機を制御する制御機とを有するナースコールシステムであって、プレート子機は、呼出ボタンとは異なる特殊呼出器や心電図監視装置、点滴監視装置、血圧監視装置等の外部機器を接続する子機接続部を備え、子機接続部への呼出ボタン、特殊呼出器及び外部機器の接続状態を検出する検出部を備え、ナースコール親機は、検出部で検出される接続状態の内容を被看護人のリスト及びフロア病床レイアウトのうち何れかに対応させて表示する親機表示部を備えることを特徴とする。
【００１２】
また、本発明によるナースコールシステムの第２の態様によれば、医療・看護施設内の複数の部屋の病床毎に設置され呼出ボタンを接続する子機接続部を備えるプレート子機と、呼出ボタンを用いた被看護人からの呼出しに医療・看護従事者が応答して通話を成立させるナースコール親機と、プレート子機及びナースコール親機を制御する制御機とを有するナースコールシステムであって、子機接続部は、少なくとも１つ設けられ、子機接続部に接続可能な呼出ボタン、特殊呼出器、若しくは心電図監視装置、点滴監視装置、血圧監視装置等の外部機器を備え、子機接続部への呼出ボタン、特殊呼出器及び外部機器の接続状態を検出する検出部を備え、ナースコール親機は、検出部で検出される接続状態の内容を被看護人のリスト及びフロア病床レイアウトのうち何れかに対応させて表示する親機表示部を備えることを特徴とする。
【００１３】
さらに、本発明によるナースコールシステムの第３の態様によれば、第２の態様において、ナースコール親機は、検出部で検出される接続状態の内容として、呼出ボタン、特殊呼出器とともに外部機器の種類毎の接続台数を親機表示部にリスト表示する親機ＣＰＵを備えることを特徴とする。
【００１４】
また、本発明によるナースコールシステムの第４の態様によれば、第１から第３の態様のうち何れか１つの態様において、プレート子機は、子機接続部への接続機器が呼出ボタン、特殊呼出器及び外部機器のうち何れかであることを当該接続機器が有する固有の抵抗値をもとに判別する接続機器判別部と、接続機器判別部の判別結果をナースコール親機、廊下灯、制御機の何れか若しくはすべてに通知する子機ＣＰＵとを備えることを特徴とする。
【００１５】
さらに、本発明によるナースコールシステムの第５の態様によれば、第１から第４の態様のうち何れか１つの態様において、プレート子機は、子機接続部に接続されている呼出ボタン、特殊呼出器及び外部機器のうち何れかが脱落したことを検出する脱落検出部と、脱落検出部の検出結果情報をナースコール親機に通知する子機ＣＰＵとを備え、ナースコール親機は、プレート子機の子機ＣＰＵから伝送されてくる検出結果情報を脱落した接続機器に対応させて警報発報する親機ＣＰＵを備えることを特徴とする。
【００１６】
また、本発明によるナースコールシステムの第６の態様によれば、第１から第４の態様のうち何れか１つの態様において、プレート子機は、子機接続部に接続されている呼出ボタン、特殊呼出器及び外部機器のうち何れかが脱落したことを検出する脱落検出部と、脱落検出部の検出結果情報を廊下灯に通知する子機ＣＰＵとを備え、廊下灯は、プレート子機の子機ＣＰＵから伝送されてくる検出結果情報をもとに脱落した接続機器が特殊呼出器又は外部機器であるとき、検出結果情報に係るナースコール親機への通知動作を抑止する廊下灯ＣＰＵを備えることを特徴とする。
【００１７】
さらに、本発明によるインターホン装置の第７の態様によれば、第１から第４の態様のうち何れか１つの態様において、プレート子機は、子機接続部に接続されている呼出ボタン、特殊呼出器及び外部機器のうち何れかが脱落したことを検出する脱落検出部と、脱落検出部の検出結果情報をナースコール親機に通知する子機ＣＰＵとを備え、ナースコール親機は、プレート子機の子機ＣＰＵから伝送されてくる検出結果情報をもとに脱落した接続機器が特殊呼出器又は外部機器であるときには警報発報の動作を抑止し、脱落した接続機器が呼出ボタンであるときには警報発報を行う親機ＣＰＵを備えることを特徴とする。
【００１８】
また、本発明によるナースコールシステムの第８の態様によれば、第５から第７の態様のうち何れか１つの態様において、プレート子機には、部屋毎の出入り口に設置され呼出ボタンを用いた被看護人からの呼出しを報知する廊下灯が接続され、廊下灯は、プレート子機の脱落検出部の検出結果を警報発報する警報発報部を備えることを特徴とする。
【発明の効果】
【００１９】
このように構成された本発明のナースコールシステムによれば、プレート子機が呼出ボタンとは異なる接続機器を接続する少なくとも１つの子機接続部を備え、ナースコール親機にて子機接続部に接続された呼出ボタンや他の接続機器の接続状況を病床単位で表示画面に表示できるので、病室の各病床における接続状況を確認できる。
【００２０】
また、接続機器が呼出ボタンか種類の異なる接続機器かを呼出ボタンや他の接続機器が有する固有の抵抗値を基に判別することができるので、接続機器のうち何が接続されているかをナースコール親機で確認することができる。
【００２１】
さらに、呼出ボタンを含む接続機器が脱落した場合には、接続機器が有する固有の抵抗値からどの接続機器が脱落したかを検出することができるとともに、脱落情報を警報発報することができる。
【図面の簡単な説明】
【００２２】
【図１】本発明のナースコールシステムの構成を示すシステム説明図である。
【図２】本発明のナースコールシステムのプレート子機、オプションコード及び廊下灯のブロック図である。
【図３】本発明のナースコールシステムのナースコール親機及び制御機のブロック図である。
【図４】本発明のナースコールシステムのナースコール親機における画面表示例である。
【発明を実施するための形態】
【００２３】
以下、本発明によるナースコールシステムを適用した好ましい実施の形態について図面を参照して説明する。
【００２４】
図１は、本発明の実施例によるナースコールシステムの全体構成を示すシステム説明図である。図１において、本発明のナースコールシステム１は、病院に入院中の被看護人がナースコール呼出を行なうためにベッド近傍に設置されたプレート子機２と、プレート子機２からの呼出を報知するとともにナースコール呼出に応答するナースコール親機３と、病室入口に設置されて呼出を表示するとともに複数のプレート子機２の通信を中継する廊下灯５と、ナースコール親機３、廊下灯５、及びプレート子機２を制御する制御機４と、看護師が携帯するスマートホンなどの携帯端末６から構成されている。
【００２５】
プレート子機２にはナースコール呼出用の呼出ボタン７、息センサ、声センサ、接触センサ、非接触センサ等を内蔵した特殊呼出器８及び心電図監視装置、点滴監視装置、血圧監視装置等を含む複数の外部機器９を接続するためのオプションコード１０が接続される。なお、呼出ボタン７、特殊呼出器８、オプションコード１０ともにプラグ、ジャック形状が同一のため、変換コードを使用することなくそのまま接続することができる。また、特殊呼出器８は呼出ボタン７を手で操作することができない被看護人のために用いられるナースコール呼出用の機器である。
【００２６】
携帯端末６は携帯電話網、無線ＬＡＮ等の無線ネットワークにより制御機４と図示しないサーバに接続されている。
【００２７】
オプションコード１０は抵抗値を可変することによってその先に接続されている外部機器９を判別するためのスイッチを有することができる。例えば呼出ボタン７の抵抗値が１ＫΩ、特殊呼出器８の抵抗値が２ＫΩである時、オプションコード１０の抵抗値をスイッチにより４、８、１６ＫΩと切り替えることにより、例えば４ＫΩなら心電図監視装置、８ＫΩなら点滴監視装置、１６ＫΩなら血圧監視装置等と外部機器９の種類を判別することができる。
【００２８】
ここで、プレート子機２は、子機ラインＬ１を経由して廊下灯５に接続されており、ここではそれぞれ個別配線で接続されている。また、制御機４には、廊下灯ラインＬ２を経由して廊下灯５が接続されており、ここでは一例として渡り配線で接続されているとともに、親機ラインＬ３を経由してナースコール親機３が接続されている。
【００２９】
なお、プレート子機２及び廊下灯５間の接続は、図示のような個別配線の接続に限定されるものではなく、例えば、複数台の当該プレート子機２を順次に廊下灯５に接続する渡り配線の態様も適用できる。また、廊下灯５及び制御機４間の接続についても、図示のような渡り配線の接続に限定されるものではなく、例えば、バス接続の態様も適用できる。
【００３０】
プレート子機２は、それぞれ同様な構成で個別の子機ＩＤを有しており、病院等の医療・介護施設における例えば、２０１号室、２０２号室、・・・・のような複数の部屋内の各病床の被看護人が、例えば、ナースコール親機３が設置されるスタッフステーション等の施設内共用部に在室中の看護人に対し、通常呼出しで被看護人との間で音声を送受信して通話を成立させるための呼出ボタン７が子機接続部１１に接続されるとともに、特殊呼出器８や心電図監視装置、点滴監視装置、血圧監視装置等を含む外部機器９が接続されるオプションコード１０が子機接続部１１に接続されるものである。
【００３１】
子機接続部１１はプレート子機２に少なくとも１つ設けられ、呼出ボタン７、特殊呼出器８、あるいは外部機器９の種類によりどの接続機器が接続されているかをナースコール親機３における親機表示部にて視認することができる。ここで、プレート子機２は、部屋内の病床数に対応させて複数台、任意に設けることができる。
【００３２】
次に廊下灯５は、それぞれ同様な構成で個別の廊下灯ＩＤを有しており、前述のような各部屋の出入口近傍である廊下先に設置されるものであって、呼出ボタン７、特殊呼出器８、外部機器９からの信号を報知するものである。
【００３３】
ナースコール親機３は、前述のようなスタッフステーション等の施設内共用部に設置され、呼出ボタン７、特殊呼出器８、外部機器９からの信号を報知するとともに、看護人が被看護人との間で音声を送受信して通話を成立させたり、特殊呼出器８からの信号を受信したり外部機器９の状況を確認したりするものである。
【００３４】
なお、ナースコール親機３には、通常、プレート子機２を個別呼出し又は一斉呼出しする機能が備えられている。また、ナースコール親機３の構成態様としては、図示のような電子情報出力型の当該親機に限定されず、例えば、ＰＣ（パーソナル・コンピュータ）型やボード型の当該親機も適用できる。
【００３５】
制御機４は、前述のような施設内共用部に設置されており、廊下灯ラインＬ２を経由して廊下灯５、親機ラインＬ３を経由してナースコール親機３をそれぞれ接続する中継器として、これら接続された機器を制御するものである。制御機４は被看護人の病室、氏名、診療科目、救護区分等の被看護人に係る各種情報テーブルや子機ＩＤや廊下灯ＩＤ、呼出ボタン７、特殊呼出器８、又は外部機器９の接続状況、呼出ボタン７、特殊呼出器８や外部機器９の脱落状況等を記憶する制御機記憶部４１を有している。なお、制御機記憶部４１はナースコール親機３内に親機記憶部として設けてもよい。
【００３６】
ここで、プレート子機２、オプションコード１０及び廊下灯５の具体的な構成について、図２のブロック図を参照して説明する。同図に示すプレート子機２には、子機接続部１１の他、接続機器判別部２１及び脱落検出部２２を含む検出部２０、さらに子機通話部２３、子機ＣＰＵ２４及び子機インターフェース（Ｉ／Ｆ）２５が備えられている。
【００３７】
このプレート子機２において、子機接続部１１は、少なくとも１つ設けられ、２つ以上設けられている場合には、例えば呼出ボタン７、特殊呼出器８、又は外部機器９が接続されるオプションコード１０のうち複数の接続機器が接続されるものである。ここで、子機接続部１１が複数設けられている場合、通常呼出ボタン７、特殊呼出器８及び外部機器９のうち同一種の接続機器が接続されることはない。
【００３８】
検出部２０の接続機器判別部２１は、子機接続部１１への接続機器が呼出ボタン７、特殊呼出器８、又はオプションコード１０を介した外部機器９のうち何れの機器であるかを当該接続機器が有する固有の抵抗値をもとに判別するものである。判別方法としては、呼出ボタン７、特殊呼出器８の各コネクタ、あるいはオプションコード１０のコネクタ２６を子機接続部１１のコネクタと接続した場合、呼出ボタン７、特殊呼出器８あるいは外部機器９のコネクタの抵抗値がそれぞれ固有の異なる抵抗値となるように設計しておく。この時オプションコード１０は抵抗値を可変することによってその先に接続されている外部機器９の種類を判別するためのスイッチ２７を有しているので、呼出ボタン７を接続した時や特殊呼出器８を接続した時及びオプションコード１０を介した外部機器９を接続した時の抵抗値が異なって検出されるため、その抵抗値を判別することにより子機接続部１１への接続機器が呼出ボタン７か特殊呼出器８かあるいは外部機器９のうちの何れかの種類の機器かを特定することができる。
【００３９】
その抵抗値としては、例えば、前述したように呼出ボタン７の抵抗値が１ＫΩ、特殊呼出器８の抵抗値が２ＫΩである時、オプションコード１０の抵抗値をスイッチにより４、８、１６ＫΩと切り替えることにより、例えば４ＫΩなら心電図監視装置、８ＫΩなら点滴監視装置、１６ＫΩなら血圧監視装置等と判別することができる。また、接続機器の判別結果については子機ＣＰＵ２４により廊下灯５を介して制御機４に通知され、制御機記憶部４１に記憶される。
【００４０】
検出部２０の脱落検出部２２は、子機接続部１１に接続されている呼出ボタン７、特殊呼出器８、又は外部機器９のうち何れの機器が脱落したかを検出するものである。即ち、それぞれ抵抗値が異なる呼出ボタン７、特殊呼出器８、又は外部機器９が接続されているオプションコード１０のコネクタが子機接続部１１に接続されているが、呼出ボタン７、特殊呼出器８、又は外部機器９の心電図監視装置、点滴監視装置、血圧監視装置等のどれか１つの接続機器若しくは複数の接続機器が脱落した場合、脱落検出部２２において抵抗値の変化を検出してどの接続機器が脱落したかを検出できるようになっている。
【００４１】
子機ＣＰＵ２４は、当該プレート子機２の構成各部を制御するものである。さらに、子機Ｉ／Ｆ２５は、子機通話部２３及び子機ラインＬ１間の信号伝送路、子機ＣＰＵ２４及び子機ラインＬ１間の信号伝送路をそれぞれ形成するものである。
【００４２】
廊下灯５は、廊下灯表示部５１、廊下灯操作部５２、廊下灯通話部５３、廊下灯ＣＰＵ５４、子機側廊下灯Ｉ／Ｆ５５及び制御機側廊下灯Ｉ／Ｆ５６が備えられている。
【００４３】
この廊下灯５において、廊下灯表示部５１は、被看護人名、在室・不在状況、被看護人の救護区分等の被看護人に係る各種情報、接続機器の種類、接続機器の脱落状況等を表示するものであり、例えば、ＬＣＤ、有機ＥＬディスプレイ等の各種の表示媒体で構成されている。
【００４４】
廊下灯操作部５２は、当該廊下灯５の周囲近傍に居る看護人により操作され、例えば、廊下灯表示部５１の前面に設置されたタッチパネルや所定の操作ボタンで構成されている。
【００４５】
廊下灯通話部５３は、当該廊下灯５の周囲近傍に居る看護人が被看護人又は他の看護人との間で通話を成立させる音声を送受信するものであり、例えば、マイク及びスピーカで構成されている。ここで、廊下灯通話部５３を構成するスピーカは、前述のようなナースコール呼出しがあることを報知する呼出音や音声メッセージ等を出力することもできる。
【００４６】
廊下灯ＣＰＵ５４は、当該廊下灯５の構成各部を制御するものである。また、子機側廊下灯Ｉ／Ｆ５５は、子機通話部２３及び子機ラインＬ１間の信号伝送路を形成するものであり、さらに、制御機側廊下灯Ｉ／Ｆ５６は、制御器７及び廊下灯ラインＬ２間の信号伝送路を形成するものである。
【００４７】
次に、ナースコール親機３及び制御機４の具体的な構成について、図３のブロック図を参照して説明する。同図に示すナースコール親機３には、親機表示部３１、親機操作部３２、親機通話部３３、親機記憶部３４、親機ＣＰＵ３５及び親機Ｉ／Ｆ３６が備えられている。
【００４８】
このナースコール親機３において、親機表示部３１は、呼出ボタン７や特殊呼出器８を用いた被看護人からの呼出し、又は外部機器９からの信号を表示するものであって、例えば、ＬＣＤ、有機ＥＬディスプレイ等の各種の表示媒体にて構成されている。また、親機操作部３２は、前述のような被看護人からの呼出しに看護人が応答する操作を行うものである。
【００４９】
親機通話部３３は、看護人が被看護人との間で通話を成立させる音声を送受信するものであり、例えば、図１に示すようにマイク３７及びスピーカ３８にて構成されている。ここで、親機通話部３３を構成するスピーカ３８は、前述のようなナースコール呼出しがあることを報知する呼出音や音声メッセージ等を出力することもできる。なお、親機通話部３３としては、ハンドセットを適用することもできる。
【００５０】
親機ＣＰＵ３５は、当該ナースコール親機３の構成各部を制御するものである。また、親機Ｉ／Ｆ３６は、親機通話部３３及び親機ラインＬ３間の信号伝送路、親機ＣＰＵ３５及び親機ラインＬ３間の信号伝送路をそれぞれ形成するものである。
【００５１】
親機記憶部３４は、前述の制御機記憶部４１に代えて設けることができるもので、被看護人の病室、氏名、診療科目、救護区分等の被看護人に係る各種情報テーブルや子機ＩＤや廊下灯ＩＤ、接続機器の種類、接続機器の脱落状況等を記憶する。
【００５２】
制御機４には、制御機ＣＰＵ４０、制御機記憶部４１、廊下灯側制御機Ｉ／Ｆ４２、親機側制御機Ｉ／Ｆ４３が備えられており、またプレート子機２に備えられている検出部２０に代えて検出部４４として接続機器判別部４５、脱落検出部４６が備えられていてもよい。
【００５３】
このように構成された本発明のナースコールシステムにおいて、以下具体的な動作について説明する。なお、呼出ボタン７及びそれに伴うナースコール親機３、制御機４、廊下灯５による動作については従来の技術と同様のためその説明を省略する。
【００５４】
まず、通常呼出ボタン７は子機接続部１１に常時接続されているので、プレート子機２の子機接続部１１に呼出ボタン７以外に何も接続されていない状態から特殊呼出器８又は何れかの種類の外部機器９が接続されたオプションコード１０を差し込むと、それぞれの接続機器の抵抗値が呼出ボタン７の抵抗値と異なっていることからプレート子機２の接続機器判別部２１は呼出ボタン７ではなく特殊呼出器８又はオプションコード１０を介して何れかの種類の外部機器９が接続されたことを認識する。
【００５５】
例えば接続機器の抵抗値が４ＫΩであれば、プレート子機２の接続機器判別部２１は心電図監視装置が接続されたことを認識し、子機ＣＰＵ２４から廊下灯５を介して制御機４に通知する。制御機４は当該プレート子機２に心電図監視装置が接続されたことを制御機記憶部４１にて記憶するとともにナースコール親機３に通知する。
【００５６】
制御機４の制御機ＣＰＵ４０は、図４に示すように、ナースコール親機３に対して、当該プレート子機２を使用している被看護人のベッド表示近傍に心電図の文字表示あるいはアイコンを表示させる信号を送信し、当該信号を受信したナースコール親機３の親機ＣＰＵ３５は「心電図監視中」というように当該被看護人が心電図を使用していることを表示させて容易に視認できるようにする。
【００５７】
この場合、図４（Ａ）に示すように、フロア病床レイアウト表示として接続機器の状況を表示してもよく、また図４（Ｂ）に示すように、各被看護人のリストを表示させて被看護人の一覧において接続機器の状況を表示してもよい。図４（Ａ）に示すフロア病床レイアウト表示と図４（Ｂ）に示す被看護人リスト表示は親機操作部３２で切り換えられるようになっている。
【００５８】
また、図４（Ａ）及び拡大して図４（Ｃ）に示すように、接続機器リストとして画面の端部に呼出ボタン７、特殊呼出器８、心電図監視装置、点滴監視装置、血圧監視装置等の外部機器９の使用中の台数を表示することもできる。これにより、病棟全体で何台の呼出ボタンや特殊呼出器及び外部機器が使用されているかを容易に認識することができる。
【００５９】
ここで、プレート子機２に接続されている外部機器９のうち、例えば心電図監視装置が心拍異常を検出すると、心電図からの異常信号はオプションコード１０を介してプレート子機２に送信される。プレート子機２は呼出信号と同様にナースコール親機３に異常信号を転送すると、ナースコール親機３の親機表示部３１には心拍異常が表示される。
【００６０】
このように、本発明のナースコールシステムではプレート子機２の子機接続部１１に何れの種類の接続機器が接続されているか、またその接続機器がどのような状況になっているかを看護人が明確に認識することができる。
【００６１】
なお、ここではナースコール親機３で心電図監視装置からの心拍異常が表示される例を説明しているが、心電図監視装置、点滴監視装置、血圧監視装置等の外部機器９の種別を特定せず、簡便に外部機器９からの呼出しが発生したことを報知するだけにすることもできる。この場合には呼出しを受けた看護人が当該病床に駆けつけ状況を確認して対応する。
【００６２】
次に脱落検出動作について説明する。なお、呼出ボタン７、特殊呼出器８、オプションコード１０に断線があった場合も信号が切断されるために脱落と同様の検出動作となる。
【００６３】
プレート子機２の脱落検出部２２が接続機器の脱落を検出した場合、接続機器の脱落があったことを子機ＣＰＵ２４により廊下灯５を介して制御機４に通知され、制御機記憶部４１に記憶されるとともにナースコール親機３に通知される。そして、この接続機器の脱落はナースコール親機３の親機ＣＰＵ３５により親機表示部３１及び親機通話部３３からなる親機報知部で音声あるいは画面表示にて警報発報することができる。同様に廊下灯５においても廊下灯表示部５１及び廊下灯通話部５３からなる廊下灯報知部により接続機器の脱落を音声あるいは画面表示にて警報発報することができる。
【００６４】
何れの種類の接続機器が脱落したかは、接続の場合と同様に接続機器の固有の抵抗値の変化から特定することができる。すなわち、例えば抵抗値の変化が４ＫΩから０ＫΩになれば、脱落した接続機器の種類は心電図監視装置というように認識することができる。
【００６５】
この脱落に伴う警報発報については、プレート子機２、ナースコール親機３、廊下灯５のいずれかで子機ＣＰＵ２４、親機ＣＰＵ３５、廊下灯ＣＰＵ５４によりすべての発報を禁止したり、特定の種類の接続機器の発報を禁止したりする設定を行うことができる。このようにすべて、あるいは特定の種類の接続機器の発報を禁止するのは、看護人が必要に応じて接続機器を取り外す場合もあり、また特に心電図監視装置、点滴監視装置、血圧監視装置等の外部機器８は治療の際に取り外される頻度が高いため、必要な場合、あるいは治療のための取り外しを真の脱落と認識することによる誤報を防止するためである。なお、通常呼出ボタン７は常時接続されているので警報発報禁止の措置が取られないことが多い。
【００６６】
接続機器の脱落があった場合、呼出ボタン７による場合と同様の経路でナースコール親機３に脱落信号が送出される。ナースコール親機３では、親機ＣＰＵ３５が脱落のあったプレート子機２について脱落前に制御機記憶部４１又は親機記憶部３４で記憶していた接続機器の種類を特定し、当該接続機器の種類が発報禁止でないことを認識すると、親機表示部３１に接続機器の種類とともに文字情報や画像情報で脱落警報を表示させる。また、ナースコール親機３、プレート子機２、廊下灯５ではそれぞれ警報音が鳴動するとともに、表示灯により警報表示が行われる。
【００６７】
脱落した接続機器の種類を特定した後は、ナースコール親機３、プレート子機２、廊下灯５のいずれかで警報音停止ボタン（不図示）を操作することにより、警報音を停止して表示のみとし、その後、接続機器が再度正しく接続されると警報が解除され復旧する。
【産業上の利用可能性】
【００６８】
本発明のナースコールシステムにおいては、ナースコール親機、制御機、廊下灯の配線を渡り配線で説明しているが、ナースコール親機、制御機、廊下灯などを個別にＬＡＮ配線に接続するようにしてもよく、ＬＡＮ配線には被看護人の病歴などのデータを格納するサーバやオーダリングサーバなどを接続することもできる。
【００６９】
また、オプションコードの抵抗値は可変式でなく固定式としてもよい。この場合には外部機器として固定の抵抗値を設定しておき、この固定の抵抗値により外部機器の接続や脱落を検出すれば、外部機器の種類は判別できないが簡便な方法であるためにコストダウンを実現することができる。
【符号の説明】
【００７０】
１・・・ナースコールシステム
２・・・プレート子機
２０・・・検出部
２１・・・接続機器判別部
２２・・・脱落検出部
２３・・・子機通話部
２４・・・子機ＣＰＵ
２５・・・子機Ｉ／Ｆ
３・・・ナースコール親機
３１・・・親機表示部
３２・・・親機操作部
３３・・・親機通話部
３４・・・親機記憶部
３５・・・親機ＣＰＵ
３６・・・親機Ｉ／Ｆ
４・・・制御機
４０・・・制御機ＣＰＵ
４１・・・制御機記憶部
４２・・・廊下灯側制御機Ｉ／Ｆ
４３・・・親機側制御機Ｉ／Ｆ
４４・・・検出部
４５・・・接続機器判別部
４６・・・脱落検出部
５・・・廊下灯
５１・・・廊下灯表示部
５２・・・廊下灯操作部
５３・・・廊下灯通話部
５４・・・廊下灯ＣＰＵ
５５・・・子機側廊下灯Ｉ／Ｆ
５６・・・制御機側廊下灯Ｉ／Ｆ
７・・・呼出ボタン
８・・・特殊呼出器
９・・・外部機器
１０・・・オプションコード
１１・・・子機接続部
【図１】
2014168570.tif 000003
【図２】
2014168570.tif 000004
【図３】
2014168570.tif 000005
【図４】
2014168570.tif 000006